【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
試薬ビーズを保存および分注するデバイスであって、該デバイスは、
複数のウェルを含むビーズ担体と、
該複数のウェルに配置される複数の試薬ビーズと、
該複数のウェルを覆い、該複数の試薬ビーズを該ビーズ担体内の該複数のウェルに保持するために、該ビーズ担体に取り外し可能に取り付けられているカバーテープと
を備えており、
該ビーズ担体および該カバーテープは、それぞれ帯電防止材料を備え、
該カバーテープは、該複数のウェルを個別に露出させて該複数のウェルから該複数の試薬ビーズを分注するために、該ビーズ担体から剥がすことができる、デバイス。
【請求項２】
前記帯電防止材料は炭素で含浸されたスチレンを含む、請求項１に記載のデバイス。
【請求項３】
前記カバーテープは、粘着剤によって前記ビーズ担体に取り外し可能に取り付けられている、請求項１に記載のデバイス。
【請求項４】
前記ビーズ担体は、略均一な距離だけ間隔をあけた線状配列のウェルを含む、請求項１に記載のデバイス。
【請求項５】
前記カバーテープは、前記複数のウェルを１つずつ個別に露出させるために、前記ビーズ担体から剥がすことができる、請求項１に記載のデバイス。
【請求項６】
それぞれのウェルの少なくとも一部は透明である、請求項１に記載のデバイス。
【請求項７】
複数のウェルを有する担体テープと、該複数のウェルに配置される複数の試薬ビーズと、該複数のウェルを覆い、該複数の試薬ビーズを該担体テープ内の該複数のウェルに保持するために、該担体テープに取り外し可能に取り付けられているカバーテープとを含む、ビーズ保存デバイス内に収容される試薬ビーズを分注する装置であって、該装置は、
該カバーテープが、細長壁に面するように、該ビーズ保存デバイスを設置するための筐体を備え、
該細長壁は、細長端と反対端との間に配置された細長間隙、および該細長端から反対の、該細長壁の側面の該反対端に隣接して備えられている分注開口を含み、該カバーテープは、該細長間隙を通って挿入可能であり、該担体テープから該カバーテープを剥がすために該細長端に対して引っ張られ、該担体テープの該複数のウェルを該分注開口の方へ移動させ、該複数のウェルから該分注開口を通って該複数の試薬ビーズを分注するために該複数のウェルを個別に露出させる、
装置。
【請求項８】
前記担体テープおよび前記カバーテープは、各々、帯電防止材料を備える、請求項７に記載の装置。
【請求項９】
前記帯電防止材料は炭素で含浸されたスチレンを含む、請求項８に記載の装置。
【請求項１０】
前記細長壁は、前記分注開口に連結され、重力によって前記試薬ビーズを分注するために略下向きに配向されている、注ぎ口を含む、請求項７に記載の装置。
【請求項１１】
前記細長端は、前記カバーテープを導くために、外側に、かつ前記反対端から離れて後方へ屈曲する屈曲部を含む、請求項７に記載の装置。
【請求項１２】
前記筐体は、支持壁と、該支持壁と該細長壁との間に配置されるチャネルとをさらに備える、請求項７に記載の装置。
【請求項１３】
前記細長間隙を通って挿入された前記カバーテープの先端を引っ張るように構成されたクラッチをさらに備える、請求項７に記載の装置。
【請求項１４】
前記クラッチは、前記カバーテープを一方向に引っ張ることを可能にするラチェット機構を含む、請求項１３に記載の装置。
【請求項１５】
前記カバーテープを引っ張るように前記クラッチを回転させるために、該クラッチに連結している輪をさらに備える、請求項１３に記載の装置。
【請求項１６】
前記カバーテープは、前記担体テープから該カバーテープを剥がすために前記細長端に対して引っ張られ、該複数のウェルから前記分注開口を通って前記試薬ビーズを分注するために、一度に、該担体テープの前記複数のウェルを該分注開口の方へ移動させ、該複数のウェルを１つずつ個別に露出させるように、前記細長間隙を通って挿入可能である、請求項７に記載の装置。
【請求項１７】
前記細長端に対して前記カバーテープが移動した量に基づき、前記試薬ビーズを分注するように露出されたウェルの数を数えるために、前記担体テープから剥がされた該カバーテープの一部に連結している計数器をさらに備える、請求項７に記載の装置。
【請求項１８】
複数のウェルを有する担体テープと、該複数のウェルに配置される複数の試薬ビーズと、該複数のウェルを覆い、該複数の試薬ビーズを該担体テープの該複数のウェルに保持するために、該担体テープに取り外し可能に取り付けられているカバーテープとを含む、ビーズ保存デバイス内に収容される試薬ビーズを分注する装置であって、該装置は、
該カバーテープが細長壁に面するように、該ビーズ保存デバイスを設置する筐体であって、該細長壁は細長端と反対端との間に配置された細長間隙と、該細長端から反対の、該細長壁の側面の該反対端に隣接して備えられている分注開口とを含む、筐体と、
該細長端に対して該カバーテープを引っ張るために、該細長間隙を通って挿入された該カバーテープの先端を引っ張るように構成されているクラッチと、
該カバーテープを引っ張るように該クラッチを回転させるために、該クラッチに連結している輪と
を備える、装置。
【請求項１９】
前記担体テープおよび前記カバーテープは、各々、帯電防止材料を備える、請求項１８に記載の装置。
【請求項２０】
前記帯電防止材料は炭素で含浸されたスチレンを含む、請求項１９に記載の装置。
【請求項２１】
前記クラッチは、前記カバーテープを一方向に引っ張ることができるラチェット機構を含む、請求項１８に記載の装置。
【請求項２２】
前記細長壁は、前記分注開口に連結され、重力によって前記試薬ビーズを分注するために略下向きにされている注ぎ口を含む、請求項１８に記載の装置。
【請求項２３】
前記細長端は、前記カバーテープを導くために、外側へ、かつ、前記反対端から離れて後方へ屈曲する屈曲部を含む、請求項１８に記載の装置。
【請求項２４】
前記筐体は、支持壁と、該支持壁と該細長壁との間に配置されるチャネルとをさらに備える、請求項１８に記載の装置。
【請求項２５】
前記担体テープから前記カバーテープを剥がすために、前記細長端に対して前記細長間隙を通って挿入された該カバーテープの前記先端を引っ張り、前記複数のウェルから前記分注開口を通って前記複数の試薬ビーズを分注するために、一度に、該担体テープの該複数のウェルを該分注開口の方へ移動させ、該複数のウェルを１つずつ個別に露出させるように、前記クラッチが構成されている、請求項１８に記載の装置。
【請求項２６】
前記輪は、前記分注開口を通って分注する目的で、１つのウェルから次のウェルを該分注開口の方へと移動させ、該次のウェルを露出させるために、少なくとも約６０度回転するように構成されている、請求項２５に記載の装置。
【請求項２７】
前記カバーテープが移動した量に基づき、前記試薬ビーズを分注するために露出されたウェルの数を数えるための、前記クラッチに連結している計数器をさらに備える、請求項１８に記載の装置。
【請求項２８】
複数のウェルを有する担体テープと、該複数のウェルに配置される複数の試薬ビーズと、該複数のウェルを覆い、該複数の試薬ビーズを該担体テープの該複数のウェルに保持するために、該担体テープに取り外し可能に取り付けられているカバーテープとを含む、ビーズ保存デバイス内に収容される試薬ビーズを分注する方法あって、該方法は、
該カバーテープが細長壁に面するように、筐体内に該ビーズ保存デバイスを設置することであって、該細長壁は、細長端と反対端との間に配置された細長間隙、および該細長端から反対の、該細長壁の側面の該反対端に隣接して備えられている分注開口を含む、ことと、
該細長間隙を通って該カバーテープを挿入することと、
該担体テープから該カバーテープを剥がすために該細長端の反対方向に該カバーテープを引っ張り、該担体テープの該複数のウェルを該分注開口の方へ移動させ、該複数のウェルから該分注開口を通って該複数の試薬ビーズを分注するために該複数のウェルを個別に露出させることと
を含む、方法。
【請求項２９】
前記カバーテープは、前記分注開口の方へ前記担体テープが移動する方向から略反対方向に、前記細長端に対して引っ張られる、請求項２８に記載の方法。
【請求項３０】
前記試薬ビーズを重力によって分注するために、前記分注開口を前記壁に対して略下向きにさせることをさらに含む、請求項２８に記載の方法。
【請求項３１】
前記担体テープから前記カバーテープを剥がす目的で、該カバーテープを前記細長端の反対方向に引っ張るために、該カバーテープの先端を引っ張るためのクラッチをさらに備えることを含む、請求項２８に記載の方法。
【請求項３２】
前記クラッチは、前記カバーテープを一方向に引っ張ることを可能にするラチェット機構を含む、請求項３１に記載の方法。
【請求項３３】
前記カバーテープを引っ張ることは、前記クラッチに連結している輪を回転させることを含む、請求項３１に記載の方法。
【請求項３４】
前記担体テープから前記カバーテープを剥がすために、該カバーテープは前記細長端の反対方向に引っ張られ、該担体テープの前記複数のウェルを前記分注開口の方へ移動させ、該複数のウェルから該分注開口を通って前記複数の試薬ビーズを分注するために、該複数のウェルを個別に１つずつ露出させる、請求項２８に記載の方法。
【請求項３５】
前記細長端に対して前記カバーテープが移動した量に基づき、前記試薬ビーズを分注するために露出されたウェルの数を数えることをさらに含む、請求項３４に記載の方法。
【請求項３６】
前記担体テープおよび前記カバーテープは、各々、帯電防止材料を備える、請求項２８に記載の方法。
【請求項３７】
前記帯電防止材料は炭素で含浸されたスチレンを含む、請求項３６に記載の方法。